【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
作動液の圧力源と、作動液リザーバと、作動液制御型デバイスと共に使用するための調整バルブであって、該調整バルブは、
該作動液の圧力源と動作可能なように接続可能な圧力供給ポートと、該リザーバに動作可能なように接続可能な排出ポートと、該制御型デバイスと動作可能なように接続可能な制御ポートと、を有するバルブボディと、
被駆動部材を有するソレノイドと、
スロットリング部材であって、該スロットリング部材は、該被駆動部材とは別体であり、そして該被駆動部材によって該共固有ポートに向かって移動させられ、そして反対向きの作動液の圧力によって該供給ポートから離れるように移動させられるように、該被駆動部材と整列しており、これによって、最低の制御ポート圧力を有する第一の状況から、最高の制御ポート圧力を有する第二の状況までの範囲全体で該バルブをシフトさせる、スロットリング部材と
を備え、
該バルブボディは、該供給ポートから該排出ポートまで延びる排出流路内にボアをさらに有しており、該ボアは静止したスロットリングコーナーを有する円筒内面によって境界が定められており、該スロットリング部材は、該静止したスロットリングコーナーに向けた同軸上の移動において排出の流路を圧縮することによって、該バルブを該第二の状況にシフトさせるようにサイズを合わされた、移動可能なスロットリングコーナーを有する円筒外面を有しており、該移動可能なスロットリングコーナーおよび該円筒外面は、該静止したスロットリングコーナーを通過する該ボアへの同軸上の移動において、該バルブを該第二の状況にシフトさせるように共にサイズを合わされている、調整バルブ。
【請求項２】
前記バルブボディは、前記供給ポートと、前記排出および制御ポートとの間にバルブシートを有し、ボールは、前記バルブが前記第一の状況の場合には、該供給ポートにおける前記作動液の圧力下で該バルブシート上に据え付けられ、前記スロットリング部材は、該第一の状況の外へ該バルブをシフトさせると、該バルブシートから離れるように該ボールを押すように動作する、請求項１に記載の調整バルブ。
【請求項３】
前記スロットリング部材および前記バルブボディは、前記バルブが前記第二の状況である場合には、前記供給ポートと前記排出ポートとの間に軸上に隣接する表面から自由である、請求項１に記載の調整バルブ。
【請求項４】
前記スロットリング部材は、前記移動可能なスロットリングコーナーと接する端面を有し、前記バルブボディは対向する内面を有し、該スロットリング部材の該端面全体は、前記バルブが前記第二の状況である場合には、該バルブボディの対向する内面から離れて空間をあけられる、請求項１に記載の調整バルブ。
【請求項５】
前記スロットリング部材は、前記バルブが前記第一の状況である場合には、全体が前記ボアの外側にある、請求項１に記載の調整バルブ。
【請求項６】
前記スロットリング部材は、スプールである、請求項１に記載の調整バルブ。
【請求項７】
前記スプールは反対側の終端を有し、該反対側の終端間に単一の円筒側面を有する、請求項６に記載の調整バルブ。
【請求項８】
前記スロットリング部材は、前記静止したスロットリングコーナーに対する同軸上の移動に対して該スロットリング部材をサポートするために、前記ボア内に留まるように構成されるガイド部分を有する、請求項１に記載の調整バルブ。
【請求項９】
前記スロットリング部材の前記ガイド部分は、作動液の流路を有する、請求項８に記載の調整バルブ。
【請求項１０】
作動液の圧力源と、
作動液のリザーバと、
作動液制御型デバイスと、
該作動液の圧力源と動作可能なように接続される供給ポートと、該リザーバと動作可能なように接続される排出ポートと、該制御型デバイスと動作可能なように接続される制御ポートと、被駆動部材を有するソレノイドと、該被駆動部材とは別体であり、そして該被駆動部材によって該共固有ポートに向かって移動させられ、そして反対向きの作動液の圧力によって該供給ポートから離れるように移動させられるように、該被駆動部材と整列しており、これによって、最低の制御ポート圧力を有する第一の状況から、最高の制御ポート圧力を有する第二の状況までの範囲全体で該バルブをシフトさせる、スロットリング部材と、を有する調整バルブと
を備える装置であって、
該バルブは、該供給ポートから該排出ポートまで延びる排出流路内にボアをさらに有しており、該ボアは、静止したスロットリングコーナーを有する円筒内面によって境界が定められており、該スロットリング部材は、該静止したスロットリングコーナーに向けた同軸上の移動において排出流路を圧縮することによって、該バルブを該第二の状況にシフトさせるようにサイズを合わされた、移動可能なスロットリングコーナーを有する円筒外面を有しており、該移動可能なスロットリングコーナーおよび該円筒外面は、該静止したスロットリングコーナーを通過する該ボアへの同軸上の移動において、該バルブを該第二の状況にシフトさせるように共にサイズを合わされている、装置。
【請求項１１】
前記バルブボディは、前記供給ポートと、前記排出および制御ポートとの間にバルブシートを有し、ボールは、前記バルブが前記第一の状況の場合には、該供給ポートにおける前記作動液の圧力によって該バルブシート上に据え付けられ、前記スロットリング部材は、該第一の状況の外へ該バルブをシフトさせると、該バルブシートから離れるように該ボールを押すように動作する、請求項１０に記載の装置。
【請求項１２】
前記スロットリング部材および前記バルブボディは、前記バルブが前記第二の状況である場合には、前記供給ポートと前記排出ポートとの間に軸上に隣接する表面から自由である、請求項１０に記載の装置。
【請求項１３】
前記スロットリング部材は、前記移動可能なスロットリングコーナーと接する端面を有し、前記バルブボディは対向する内面を有し、該スロットリング部材の該端面全体は、前記バルブが前記第二の状況である場合には、該バルブボディの対向する内面から離れて空間をあけられる、請求項１０に記載の装置。
【請求項１４】
前記スロットリング部材は、前記バルブが前記第一の状況である場合には、全体が前記ボアの外側にある、請求項１０に記載の装置。
【請求項１５】
前記スロットリング部材は、スプールである、請求項１０に記載の装置。
【請求項１６】
前記スプールは反対側の終端を有し、該反対側の終端間に単一の円筒側面を有する、請求項１５に記載の装置。
【請求項１７】
前記スロットリング部材は、前記静止したスロットリングコーナーに対する同軸上の移動に対して該スロットリング部材をサポートするために、前記ボア内に留まるように構成されるガイド部分を有する、請求項１０に記載の装置。
【請求項１８】
前記スロットリング部材の前記ガイド部分は、作動液の流路を有する、請求項１７に記載の装置。
【請求項１９】
前記制御型デバイスは車両の変速機におけるバルブである、請求項１０に記載の装置。
【請求項２０】
前記スロットリング部材が、前記被駆動部材との点接触を有する、請求項１に記載の調整バルブ。
【請求項２１】
前記スロットリング部材が、丸い表面と平坦な表面との間と点接触して、前記非駆動部材と接触する、請求項２０に記載の調整バルブ。
【請求項２２】
前記丸い表面が前記スロットリング部材に存在する、請求項２１に記載の調整バルブ。
【請求項２３】
前記静止スロットリングコーナーが、前記ボアの端部を規定する９０°のコーナーであり、該コーナーにおいて、前記スロットリング部材が該ボアに入る、請求項１に記載の調整バルブ。
【請求項２４】
前記スロットリング部材が、前記被駆動部材との点接触を有する、請求項１０に記載の装置。
【請求項２５】
前記スロットリング部材が、丸い表面と平坦な表面との間と点接触して、前記非駆動部材と接触する、請求項２４に記載の装置。
【請求項２６】
前記丸い表面が前記スロットリング部材に存在する、請求項２５に記載の装置。
【請求項２７】
前記静止スロットリングコーナーが、前記ボアの端部を規定する９０°のコーナーであり、該コーナーにおいて、前記スロットリング部材が該ボアに入る、請求項１０に記載の装置。
【請求項２８】
作動液の圧力源と、作動液リザーバと、作動液制御型デバイスと共に使用するための調整バルブであって、該調整バルブは、
該作動液の圧力源と動作可能なように接続可能な圧力供給ポートと、該リザーバに動作可能なように接続可能な排出ポートと、該制御型デバイスと動作可能なように接続可能な制御ポートと、を有するバルブボディと、
ソレノイドと、
該ソレノイドの影響下で、最低の制御ポート圧力を有する第一の状況から、最高の制御ポート圧力を有する第二の状況までの範囲全体で該バルブをシフトさせるように、該バルブボディ内で移動可能なスロットリング部材と
を備え、
該バルブボディは、該供給ポートから該排出ポートまで延びる排出流路内にボアをさらに有しており、該ボアは静止したスロットリングコーナーを有する円筒内面によって境界が定められており、該スロットリング部材は、該静止したスロットリングコーナーに向けた同軸上の移動において排出の流路を圧縮することによって、該バルブを該第二の状況にシフトさせるようにサイズを合わされた、移動可能なスロットリングコーナーを有する円筒外面を有しており、該移動可能なスロットリングコーナーおよび該円筒外面は、該静止したスロットリングコーナーを通過する該ボアへの同軸上の移動において、該バルブを該第二の状況にシフトさせるように共にサイズを合わされており、
該スロットリング部材は、該静止したスロットリングコーナーに対する同軸上の移動に対して該スロットリング部材をサポートするために、該ボア内に留まるように構成されるガイド部分を有する、
調整バルブ。
【請求項２９】
前記スロットリング部材の前記ガイド部分は、作動液の流路を有する、請求項２８に記載の調整バルブ。
【請求項３０】
作動液の圧力源と、
作動液のリザーバと、
作動液制御型デバイスと、
該作動液の圧力源と動作可能なように接続される供給ポートと、該リザーバと動作可能なように接続される排出ポートと、該制御型デバイスと動作可能なように接続される制御ポートと、ソレノイドと、該ソレノイドの影響下で、バルブボディ内を、最低の制御ポート圧力を有する第一の状況から、最高の制御ポート圧力を有する第二の状況までの範囲全体で該バルブをシフトさせるように移動可能なスロットリング部材と、を有する調整バルブと
を備える装置であって、
該バルブは、該供給ポートから該排出ポートまで延びる排出流路内にボアをさらに有しており、該ボアは、静止したスロットリングコーナーを有する円筒内面によって境界が定められており、該スロットリング部材は、該静止したスロットリングコーナーに向けた同軸上の移動において排出流路を圧縮することによって、該バルブを該第二の状況にシフトさせるようにサイズを合わされた、移動可能なスロットリングコーナーを有する円筒外面を有しており、該移動可能なスロットリングコーナーおよび該円筒外面は、該静止したスロットリングコーナーを通過する該ボアへの同軸上の移動において、該バルブを該第二の状況にシフトさせるように共にサイズを合わされており、
該スロットリング部材は、該静止したスロットリングコーナーに対する同軸上の移動に対して該スロットリング部材をサポートするために、該ボア内に留まるように構成されるガイド部分を有する、
装置。
【請求項３１】
前記スロットリング部材の前記ガイド部分は、作動液の流路を有する、請求項３０に記載の装置。